(57)【要約】【課題】内容物の詰め替えを行う際に、容器から取り外した吐出器を、安定した状態で床や台に置くことができ、且つ、吐出器に付着した内容液の液垂れを抑制することが可能な吐出器用着脱工具を提供する【解決手段】容器に吐出器３０をねじ付けるとともにその外周面に嵌め合い凸部３９を備えるキャップ３１に取り付けられ、該嵌め合い凸部３９に適合する嵌め合い凹部７を嵌め合わせて該キャップ３１とともに回転させて該吐出器３０を着脱する吐出器用着脱工具１であって、キャップ３１への取り付け口となる側部開口３を残してキャップ３１を取り囲み、その内周面５ａに嵌め合い凹部７を備える側壁５を有し、側壁５の外周面５ｂ及び側部開口の端面１３の少なくとも一部に、キャップ３１に取り付けた状態で、キャップ３１の底面側から天面側に向かって先細りとなる方向に傾く傾斜平面１５を設けたことを特徴とする。【選択図】図１
2014148335.tif 000002
【特許請求の範囲】
【請求項１】
容器に吐出器をねじ付けるとともにその外周面に嵌め合い凸部を備えるキャップに取り付けられ、該嵌め合い凸部に適合する嵌め合い凹部を嵌め合わせて該キャップとともに回転させて該吐出器を着脱する吐出器用着脱工具であって、
前記キャップへの取り付け口となる側部開口を残して前記キャップを取り囲み、その内周面に前記嵌め合い凹部を備える側壁を有し、
前記側壁の外周面及び前記側部開口の端面の少なくとも一部に、前記キャップに取り付けた状態で、前記キャップの底面側から天面側に向かって先細りとなる方向に傾く傾斜平面を設けたことを特徴とする吐出器用着脱工具。
【請求項２】
前記側壁は、前記キャップの周壁に沿う曲面部と、該曲面部の両側からそれぞれ延びてその延在端を前記側部開口の端面とする一対の平面部とからなり、
前記傾斜平面を、前記側部開口の端面、前記曲面部の外周面、及び前記一対の平面部の外周面のそれぞれに設けた、請求項１に記載の吐出器用着脱工具。
【発明の詳細な説明】
【技術分野】
【０００１】
本発明は、シャンプーやリンス、整髪料等の内容物を吐出させる吐出器を、容器に対して着脱する際に用いる吐出器用着脱工具に関するものである。
【背景技術】
【０００２】
シャンプーやリンス、整髪料等の内容物を収容する容器に装着されてこれらの内容物を吐出させる吐出器としては、例えばポンプ機構を備えるとともにこのポンプ機構を容器の口部にねじ付けて固定するキャップを備えるものがあり、キャップを回転させて吐出器を容器から取り外して、内容物の詰め替えを行い得るように構成されている。
【０００３】
このような吐出器は、簡単に取り外すことができる故に、店頭での陳列やホテル等の施設に据え置かれる際、内容物が入れ替えられたり、抜き取られたりする等の悪戯が想定される。本出願人は、こうした不正使用を防止する対策として、容器に対するねじ付け部分にラチェット機構を設けた液体噴出器を提案済みである（例えば特許文献１参照）。
【先行技術文献】
【特許文献】
【０００４】
【特許文献１】特開２００４−３４４８２２号公報
【発明の概要】
【発明が解決しようとする課題】
【０００５】
ところで、内容物の詰め替えを行う際には、吐出器を一旦取り外し、取り外した吐出器を付近の床や台の上に置いて作業するのが一般的である。しかしながら、吐出器の形状は、安定した状態で床や台の面上に置くための構造を有していないことが多く、また、取り外した吐出器の先端には、容器内に残留していた内容液が付着していることがあり、液垂れして、床や台が汚れてしまうという問題があった。
【０００６】
本発明は、このような問題点を解決することを課題とするものであり、その目的は、内容物の詰め替えを行う際に、容器から取り外した吐出器を、安定した状態で床や台に置くことができ、且つ、吐出器に付着した内容液の液垂れを抑制することが可能な吐出器用着脱工具を提案するところにある。
【課題を解決するための手段】
【０００７】
上記課題を解決するため、本発明に係る吐出器用着脱工具は、容器に吐出器をねじ付けるとともにその外周面に嵌め合い凸部を備えるキャップに取り付けられ、該嵌め合い凸部に適合する嵌め合い凹部を嵌め合わせて該キャップとともに回転させて該吐出器を着脱する吐出器用着脱工具であって、
前記キャップへの取り付け口となる側部開口を残して前記キャップを取り囲み、その内周面に前記嵌め合い凹部を備える側壁を有し、
前記側壁の外周面及び前記側部開口の端面の少なくとも一部に、前記キャップに取り付けた状態で、前記キャップの底面側から天面側に向かって先細りとなる方向に傾く傾斜平面を設けたことを特徴とする。
【０００８】
また本発明に係る吐出器用着脱工具は、前記側壁は、前記キャップの周壁に沿う曲面部と、該曲面部の両側からそれぞれ延びてその延在端を前記側部開口の端面とする一対の平面部とからなり、
前記傾斜平面を、前記側部開口の端面、前記曲面部の外周面、及び前記一対の平面部の外周面のそれぞれに設けることが好ましい。
【発明の効果】
【０００９】
本発明の吐出器用着脱工具によれば、内容物の詰め替えを行う際に、容器から取り外した吐出器を、安定した状態で床や台に置くことができ、且つ、吐出器に付着した内容液の液垂れを抑制することが可能な吐出器用着脱工具を提供することが可能となる。
【図面の簡単な説明】
【００１０】
【図１】（ａ）は、本発明に従う吐出器用着脱工具を、吐出器に取り付けた状態で、側部開口の端面が接地するように床に置いた状況を示す図であり、（ｂ）は本発明に従う吐出器用着脱工具を、吐出器に取り付けた状態で、曲面部の傾斜平面が接地するように床に置いた状況を示す図であり、（ｃ）は、本発明に従う吐出器用着脱工具を、吐出器に取り付けた状態で、平面部の傾斜平面が接地するように床に置いた状況を示す図であり、（ｄ）は比較例としての吐出器用着脱工具を、吐出器に取り付けた状態で、床に置いた状況を示す図である。
【図２】本発明に従う吐出器用着脱工具の実施の形態を示す、（ａ）は斜視図であり、（ｂ）は平面図であり、（ｃ）は正面図であり、（ｄ）は側面図であり、（ｅ）は背面図であり、（ｆ）は底面図である。
【図３】本発明に従う吐出器用着脱工具の他の実施の形態を示す平面図である。
【発明を実施するための形態】
【００１１】
以下、図面を参照して、本発明をより具体的に説明する。
図１（ａ）〜（ｃ）において符号１は、本発明に従う吐出器用着脱工具（以下、「工具」と称す）の一実施形態を示すものであり、工具１が吐出器３０に取り付けられ、床面に置かれた状態を表す。
【００１２】
ここで、本実施形態の工具１を取り付ける吐出器３０について説明する。吐出器３０は、例えばシャンプーやリンス、整髪料等の容器に取り付けられるものであり、キャップ３１、押圧ヘッド３３、シリンダ３５、及び吸入パイプ３７を備える。
【００１３】
キャップ３１は、液体等の内容物を収容する容器（図示は省略する）の口部に設けられたねじ部に適合するねじ部３４をその内周面に有し、相互のねじ部を係合させることで容器に取り付けられる。
【００１４】
キャップ３１によって容器の口部に保持された吐出器３０は、押圧ヘッド３３を繰返し押圧することで、容器の収容空間内の液体を、吸入パイプ３７及びシリンダ３５を介して吸引、加圧して押圧ヘッド３３のノズル３３ａから吐出させることができる。
【００１５】
キャップ３１の底面３１ａには、嵌め合い凸部３９が設けられている。ここで、「キャップ３１の底面３１ａ」とは、容器にキャップ３１を取り付けた際に、容器側に位置する端面である。本実施形態において、嵌め合い凸部３９は、キャップ３１の周方向に間隔をあけて設けられる複数の突起によって形成されるものである。さらに、キャップ３１の外側には、嵌め合い凸部３９を露出させる一方、キャップ３１を取囲んで覆い隠す外キャップ３２が設けられている。外キャップ３２は、キャップ３１に対して回転自在に保持される。これにより、容器の口部に保持された吐出器３０を取り外すにあたって、外キャップ３２を回転させてもキャップ３１をゆるめることはできないため、吐出器３０の不正な取り外しが防止される。
【００１６】
以下に本実施形態の工具１について説明する。
図２は、工具１を示したものであり、（ａ）は斜視図であり、（ｂ）は平面図であり、（ｃ）は正面図であり、（ｄ）は側面図であり、（ｅ）は背面図であり、（ｆ）は底面図である。
【００１７】
工具１は、キャップ３１への取り付け口となる側部開口３を残してキャップ３１を取り囲む側壁５を有する。側壁５の内周面５ａには、前述の嵌め合い凸部３９に対応する嵌め合い凹部７が設けられている。本実施形態において、嵌め合い凹部７は側壁５の内周面５ａの下端から内側に向けて突出して板状になっていて、その突出先端部（嵌め合い凹部７の内側端縁）は、図２（ｆ）に示すように底面視にて３箇所に突起７ａを設けた形状となっている。なお、嵌め合い凹部７の形状は特に限定されず、キャップ３１の嵌め合い凸部３９に嵌め合わされて、工具１とともにキャップ３１を回転させることが可能であればよい。したがって例えば、嵌め合い凹部７の形状を、平面視で正多角形の一部をなす形状とすることも可能である。吐出器３０を容器から取り外す場合には、側部開口３を取り付け口として工具１をキャップ３１の側方から取り付け、嵌め合い凸部３９と嵌め合い凹部７とを嵌め合わせて、工具１とともにキャップ３１を回転させることにより、吐出器３０を取り外すことができる。なお、吐出器３０を容器に取り付けるには、これと逆の手順を踏めばよい。
【００１８】
側壁５は、取り付けた状態でキャップ３１の周壁に沿い、側部開口３と対向する曲面部９と、該曲面部９の両側から延びる一対の平面部１１とからなり、平面部１１の延在端は側部開口３の端面１３となっている。
【００１９】
側壁５の外周面５ｂ及び側部開口３の端面１３の少なくとも一部には、傾斜平面が設けられており、本実施形態では、側部開口３の端面１３、側壁５の曲面部９の外周面、及び一対の側壁５の平面部１１の外周面のそれぞれに傾斜平面１５ａ、１５ｂ、１５ｃが設けられている。
【００２０】
傾斜平面１５ａ、１５ｂ、１５ｃは、キャップ３１に取り付けた状態で、キャップ３１の底面３１ａ側から天面側に向かって先細りとなる方向に傾いている。すなわち、傾斜平面１５ａ、１５ｂ、１５ｃは、工具１の底面１７ａから、これに対向する側の端面である天面１７ｂに向かって、内側に向かって傾斜している。
【００２１】
上記のような構成となる工具１を用いて吐出器３０を取り外し、ノズル３３ａが上方を向くように床面Ｓに置いた状況を図１（ａ）〜（ｃ）に示す。図１（ａ）は、側部開口３の端面１３に設けられた傾斜平面１５ａが接地するように床面Ｓに置いた状況を示しており、図１（ｂ）は、曲面部９に設けられた傾斜平面１５ｂが接地するように床面Ｓに置いた状況を示す図であり、図１（ｃ）は、平面部１１に設けられた傾斜平面１５ｃが接地するように床面Ｓに置いた状況を示す図である。一方、図１（ｄ）は、比較のために、傾斜平面を設けていない工具５０を、上記図１（ａ）〜（ｃ）と同一の吐出器３０のキャップ３１に取り付け、側部開口の端面５３が接地するように床面Ｓに置いた状況を示す図である。すなわち、工具５０の側壁５５の外周面および側部開口の端面５３は、キャップ３１に取り付けた状態で、キャップ３１の底面３１ａ側から天面側に向かってキャップ３１の中心軸線Ｃと平行に延びている。図１（ｄ）に示すように、工具５０を取り付けた吐出器３０の吸入パイプ３７は、床面Ｓとほとんど平行に延び、吸入パイプ３７の先端３７ａから内容液が液垂れして床面Ｓに付着してしまう虞がある。
【００２２】
図１（ａ）〜（ｃ）に示すように、本実施形態の工具１を取り付けた吐出器３０を、傾斜平面１５ａ、１５ｂ、１５ｃが接地するように床面Ｓに置いた場合には、吐出器３０の吸入パイプ３７は、キャップ３１側よりも先端３７ａ側が高く（床面との距離が長く）なるため、吸入パイプ３７に付着していた内容液は先端３７ａ側に移動し難く、先端３７ａからの液垂れを抑制することができる。また、曲面ではなく平面で床面Ｓと接触するため安定した状態で置くことができ、より確実に液垂れを抑制することができる。
【００２３】
また、本実施形態の工具１は、側部開口３の端面１３、曲面部９の外周面、及び一対の平面部１１の外周面のそれぞれに傾斜平面１５ａ、１５ｂ、１５ｃを設けたため、いずれか１箇所のみに傾斜平面を設けた場合に比べ、床面Ｓに対して傾斜平面１５ａ、１５ｂ、１５ｃが接地するように置くことが容易となり、より確実に、液垂れを抑制する効果を得ることができる。
【００２４】
また、本実施形態の工具１は、天面１７ｂから突出する突出部１９を設けている。突出部１９には貫通孔２０が形成されている。突出部１９の外面は、側壁５の曲面部９に設けられた傾斜平面１５ｂに連続して延びている。このため、傾斜平面１５ｂの面積を拡大して、当該傾斜平面１５ｂが接地するように置いた場合の安定性を向上させることができる。また、突出部１９に形成された貫通孔２０を利用して、非使用時にフック部材等を用いて壁に掛けておくことが可能となる。また、詰め替え作業で作業者が工具１を持ち運ぶ際に、紐状の部材等で作業者の服に固定することで、工具１の紛失を防止することも可能となる。
【００２５】
また、本実施形態の工具１は、一対の平面部１１の外周面（傾斜平面１５ｃ）に連続して、曲面部９方向に延びる転がり防止リブ２１を有する。工具１の重心は側部開口３側よりも曲面部９側に片寄っているため、工具１を平面部１１の外周面（傾斜平面１５ｃ）が床面Ｓに接地するように置いた場合に、曲面部９側（図１（ｂ）の矢印Ａの方向）に向かって転がりやすくなっているものの、防止リブ２１によりこれが防止できるので、安定性を高め、液垂れを抑制する効果をさらに向上させることができる。
【００２６】
本発明の他の実施形態である工具１０１を図３に示す。
図３に示す工具１０１は、側壁１０５の一対の平面部１１１を構成する外周面（傾斜平面）１１５ｃが、側壁１０５の曲面部１０９側から側部開口１０３側に向かって、一対の平面部１１１の外周面の相互間距離が短くなるように形成されている。すなわち、図３に示す一対の平面部１１１の外周面（傾斜平面）１１５ｃ相互間の距離に関して、側部開口１０３側の距離ｗ１が、曲面部１０９側の距離ｗ２よりも小さくなっている。この工具１０１を、一方の平面部１１１の外周面（傾斜平面）１１５ｃが床面Ｓと接するように置いた場合、側部開口１０３側に傾斜した姿勢となるため曲面部１０９側（図３の矢印Ｂの方向）へ転がることを抑制することができ、さらに安定性を高め、液垂れ抑制効果を向上させることができる。
【００２７】
以上、本発明に係る吐出器用着脱工具の実施形態について説明したが、上述の実施形態に限定されることなく、本発明に従い様々な変更を行うことができる。例えば、工具を取付ける吐出器の形状に応じて、工具に設ける傾斜平面の位置や角度は適宜変更することができる。
【産業上の利用可能性】
【００２８】
本発明によれば、内容物の詰め替えを行う際に、容器から取り外した吐出器を、安定した状態で床や台に置くことができ、且つ、吐出器に付着した内容液の液垂れを抑制することが可能な吐出器用着脱工具を提供することができる。
【符号の説明】
【００２９】
１  吐出器用着脱工具
３  側部開口
５  側壁
７  嵌め合い凹部
９  曲面部
１１  平面部
１３  側部開口の端面
１５ａ、１５ｂ、１５ｃ  傾斜平面
３０  吐出器
３１  キャップ
３２  外キャップ
３３  押圧ヘッド
３５  シリンダ
３７  吸入パイプ
３９  嵌め合い凸部
【図１】
2014148335.tif 000003
【図２】
2014148335.tif 000004
【図３】
2014148335.tif 000005